(57)【要約】【課題】  プラグ挿入口の数に応じてソケット本体に取り付けられる接続端子を独立に設けることにより、簡単な構造で、製造も容易としたテーブルタップのソケット本体構造を提供する。【解決手段】  丸棒状を呈する導電ロッド１１と、１個以上の第１接続端子１２とを有し、該第１接続端子１２の上部に上に開口する刃受入れ部１６が設けられ、側部に導電ロッド１１を接合するための接合部１７が設けられている。【選択図】  図３
0003145855.tif 000002
【実用新案登録請求の範囲】
【請求項１】
丸棒状を呈する導電ロッド(１１)と、１個以上の第１接続端子(１２)とを有し、該第１接続端子(１２)の上部に上に開口する刃受け入れ部(１６)が設けられ、側部に前記導電ロッド(１１)に接合される接合部(１７)が設けられている、テーブルタップのソケット本体構造。
【請求項２】
前記導電ロッド(１１)の端部に更に、前記第１接続端子(１２)と同様の前記刃受入れ部（１６）及び前記接合部(１７)が設けられる第２接続端子(１３)が取り付けられ、該第２接続端子（１３）に設けられた前記接合部（１７）と反対側の側部に、横方向に開口する刃受入れ部(１９)が設けられると共に、前記第２接続端子(１３)は、前記第１接続端子(１２)と所定の間隔をおいて、前記接合部(１７)を介して前記導電ロッド(１１)に接合されている、請求項１に記載のテーブルタップのソケット本体構造。
【請求項３】
前記第１接続端子(１２)と前記第２接続端子(１３)に底部プレート(１４)と、互いに接近するように湾曲する２つの挟持片(１５)がさらに形成されることにより、互いの間に間隔を有する前記刃受入れ部(１６)を構成すると共に、前記第２接続端子(１３)の側部に前記挟持片(１５)と同様の形状を呈する挟持片(１８)が横方向に形成されることにより、前記刃受入れ部(１９)を構成し、前記接合部(１７)は、折り曲げ加工により、前記導電ロッド(１１)の外径と対応すると共に、下方に開口する凹溝が形成されている、請求項２に記載のテーブルタップのソケット本体構造。
【請求項４】
ケース本体が設けられ、該ケース本体は、それぞれ凹部が形成される上部ケース(３１)及び下部ケース(３２)を含み、それらの該上部ケース(３１)と該下部ケース(３２)とが組み合わされることにより、前記第１接続端子(１２)と前記第２接続端子(１３) を有するソケット本体（１０）が設置される収容室が形成され、更に、前記上部ケース(３１)における、前記第１接続端子(１２)と対応する位置にプラグ挿入口(３４)が形成され、該プラグ挿入口(３４)に前記各刃受入れ部(１６)と対応する複数の刃受入れ孔が形成されている、請求項１に記載のテーブルタップのソケット本体構造。
【請求項５】
前記ケース本体が設けられ、該ケース本体は、それぞれ凹部が形成される前記上部ケース(３１)、前記下部ケース(３２)及び端部カバー(３３)を含み、それらの前記上部ケース(３１)と前記下部ケース(３２)と該端部カバー(３３)とが組み合わされることにより、前記第１接続端子(１２)と前記第２接続端子(１３) を有する前記ソケット本体（１０）が設置される収容室が形成され、更に、前記上部ケース(３１)と前記端部カバー(３３)における、前記第１接続端子(１２)及び前記第２接続端子(１３)と対応する位置にそれぞれ前記プラグ挿入口(３４)が形成され、該プラグ挿入口(３４)に前記各刃受入れ部(１６)(１９)と対応する複数の刃受入れ孔が形成されている、請求項２または３に記載のテーブルタップのソケット本体構造。
【請求項６】
前記導電ロッド(１１)の一端に所定の角度に曲折する接続端(１１０)が形成されている、請求項４または５に記載のテーブルタップのソケット本体構造。
【請求項７】
前記第１接続端子(１２)と前記第２接続端子(１３)がリベット止め或いは溶接によって、前記導電ロッド(１１)に接合されている、請求項６に記載のテーブルタップのソケット本体構造。
【考案の詳細な説明】
【技術分野】
【０００１】
本考案は、テーブルタップに関し、特に、接続端子と導電ロッドがそれぞれ単一の部品であり、リベット止め或いは溶接によって該接続端子と導電ロッドとを接合して１つのソケット本体に形成するテーブルタップのソケット本体構造に関する。
【背景技術】
【０００２】
図４は、従来のテーブルタップの分解斜視図であり、同図に示すように、従来のテーブルタップは、一対のソケット本体４０とケースを含み、金属板から折り曲げ加工によって接続端４１と、第１接続端子４２と、導電板４３と、第２接続端子４４とが一体に形成され、該接続端４１は、該第１接続端子４２の一側に隣接し、該第２接続端子４４と前記第１接続端子４２は、所定の間隔をおいて前記導電板４３の両端に設置され、また、前記接続端４１は、その両側が上方に曲げられてＵ字状に形成されると共に、前記第１接続端子４２と前記第２接続端子４４にそれぞれ互いに平行し、且つ互いに接近するように湾曲する２つの挟持片が設けられ、該挟持片の末端がそれぞれ外側に向かって湾曲することにより、上に開口する刃受入れ部４５が形成され、更に、前記第２接続端子４４における末端に該挟持片と同様の挟持片が横方向に設けられている。
【０００３】
更に、前記従来のソケット本体４０は、ケース本体内に設置され、該ケース本体と組み合わせることによりテーブルタップを構成するものであり、前記ケース本体は、それぞれ内側に凹部が形成される上部ケース５１、下部ケース５２及び端部カバー５３を含み、それらの前記上部ケース５１、前記下部ケース５２と前記端部カバー５３を組み合わせることにより収容室が形成され、更に、前記上部ケース５１に２つ、前記端部カバー５３に１つのプラグ挿入口５４が形成され、前記上部ケース５１における２つの前記プラグ挿入口５４は、所定の間隔をおいて形成されると共に、それぞれに一対の刃受入れ孔（符号なし）を有し、一方、前記下部ケース５２には更に、一対のソケット本体に対応するように複数の板が立設され、該複数の板にソケット本体を嵌め込むための嵌合溝が形成されると共に、前記上部ケース５１と前記下部ケース５２の先端にそれぞれ、互いに対応する配線用の切欠きが形成されている。
【０００４】
前記一対のソケット本体４０は、ケース内において平行に且つ前記第１接続端子４２と前記第２接続端子４４がそれぞれケース内の一端と他端に位置して、それぞれが前記プラグ挿入口５４と対応するように設置され、更に、前記ソケット本体４０は外部のコンセントと繋ぐことができる配線と接続されている。
【考案の開示】
【考案が解決しようとする課題】
【０００５】
しかしながら、図４に示す従来のテーブルタップの前記ソケット本体４０は、三つの前記プラグ挿入口５４を有するテーブルタップに適用するものであることから、前記プラグ挿入口５４の数が異なるテーブルタップを製造する場合には、前記プラグ挿入口５４の数に合わせてケースの形状を変更すると共に、前記ソケット本体４０にも刃受入れ部を増減させる必要がある。
【０００６】
さらに、前記従来のソケット本体４０は折り曲げ加工により一体に形成されるものであることから、刃受入れ部を増減するには、異なるソケット本体を製造するための金型を別途開発する必要があるので、金型の開発費用や製作費用によりコストが増大してしまう。その上、前記従来のソケット本体４０は、金属板を折り曲げ加工することによって前記接続端４１、前記第１接続端子４２、前記導電板４３及び前記第２接続端子４４を形成することから、その構造が複雑であるので、加工が困難であり且つ手間がかかるという問題があった。
【０００７】
そこで、案出されたのが本考案であって、単一部品、つまり一体に形成され、プラグ挿入口の数に応じてソケット本体に取り付けられる接続端子を含む構成を有し、且つ簡単な構造で製造を容易にすることにより、従来のテーブルタップにおける、プラグ挿入口の数の変更による金型の開発費用及び製作費用などのコストの増加や、構造の複雑化による加工の困難性の問題を解決できるテーブルタップのソケット本体構造を提供することを目的とする。
【課題を解決するための手段】
【０００８】
上記目的を達成するため、本考案の請求項１は、丸棒状を呈する導電ロッド１１と、１個以上の第１接続端子１２と、を有し、該第１接続端子１２の上部に上に開口する刃受け入れ部１６が設けられ、側部に導電ロッド１１に接合される接合部１７が設けられている、テーブルタップのソケット本体構造を提供する。
【０００９】
また、本考案の請求項２は、前記導電ロッド１１の端部に更に、前記第１接続端子１２と同様の前記刃受入れ部１６及び前記接合部１７が設けられる第２接続端子１３が取り付けられ、該第２接続端子（１３）に設けられた前記接合部（１７）と反対側の側部に、横方向に開口する刃受入れ部１９が設けられると共に、前記第２接続端子１３は、前記第１接続端子１２と所定の間隔をおいて、前記接合部１７を介して前記導電ロッド１１に接合されている、請求項１に記載のテーブルタップのソケット本体構造を提供する。
【００１０】
そして、本考案の請求項３は、前記第１接続端子１２と前記第２接続端子１３に底部プレート１４と、互いに接近するように湾曲する２つの挟持片１５がさらに形成されることにより、互いの間に間隔を有する前記刃受入れ部１６を構成すると共に、前記第２接続端子１３の側部に前記挟持片１５と同様の形状を呈する挟持片１８が横方向に形成されることにより、刃受入れ部１９を構成し、前記接合部１７は、折り曲げ加工により、前記導電ロッド１１の外径と対応すると共に、下方に開口する凹溝が形成されている、請求項２に記載のテーブルタップのソケット本体構造を提供する。
【００１１】
更に、本考案の請求項４は、ケース本体が設けられ、該ケース本体は、それぞれ凹部が形成される上部ケース３１及び下部ケース３２を含み、それらの該上部ケース３１と該下部ケース３２とが組み合わされることにより、前記第１接続端子１２と前記第２接続端子１３ を有するソケット本体１０が設置される収容室が形成され、更に、前記上部ケース３１における、前記第１接続端子１２と対応する位置にプラグ挿入口３４が形成され、該プラグ挿入口３４に前記各刃受入れ部１６と対応する複数の刃受入れ孔が形成されている、請求項１に記載のテーブルタップのソケット本体構造を提供する。
【００１２】
そして、本考案の請求項５は、ケース本体が設けられ、該ケース本体は、それぞれ凹部が形成される前記上部ケース３１、前記下部ケース３２及び前記端部カバー３３を含み、それらの前記上部ケース３１と前記下部ケース３２と前記端部カバー３３とが組み合わされることにより、前記第１接続端子１２と前記第２接続端子１３ を有する前記ソケット本体１０が設置される収容室が形成され、更に、前記上部ケース３１と前記端部カバー３３における、前記第１接続端子１２及び前記第２接続端子１３と対応する位置にそれぞれ前記プラグ挿入口３４が形成され、該プラグ挿入口３４に前記各刃受入れ部１６、１９と対応する複数の刃受入れ孔が形成されている、請求項２または３に記載のテーブルタップのソケット本体構造を提供する。
【００１３】
また、本考案の請求項６は、前記導電ロッド１１の一端に所定の角度に曲折する接続端１１０が形成されている、請求項４または５に記載のテーブルタップのソケット本体構造を提供する。
【００１４】
更に、本考案の請求項７は、前記第１接続端子１２と前記第２接続端子１３がリベット止め或いは溶接によって、前記導電ロッド１１に接合されている、請求項６に記載のテーブルタップのソケット本体構造を提供する。
【考案の効果】
【００１５】
本考案は上記の課題を解決するものであり、前記第１接続端子と前記第２接続端子はそれぞれ単一部品、つまり一体に形成されるが、各接続端子と前記導電ロッドとは一体に形成されないので、需要に応じて前記導電ロッドに取り付ける数量を調整することができ、前記プラグ挿入口の数が多いテーブルタップを製造するときには、より長い導電ロッドを製作し、その導電ロッドに前記プラグ挿入口の数に応じた複数の接続端子を取り付けるだけでテーブルタップを組み立てることができることから、金型の製作費用を節約することができると共に、ソケット本体の構造を簡単にできるので、全体的に低コスト化を図ることができる。
【考案を実施するための最良の形態】
【００１６】
以下、添付図面を参照して本考案の好適な実施の形態を詳細に説明する。尚、下記実施例は本考案の好適な実施の形態を示したものにすぎず、本考案の技術的範囲は下記実施例に限定されない。
【００１７】
図１は本考案に係るテーブルタップのソケット本体構造の第１実施例の分解斜視図であり、図２は本考案に係るテーブルタップのソケット本体構造の第２実施例の分解斜視図であり、図３は本考案に係るテーブルタップのソケット本体構造をテーブルタップに適用した状態を示す分解斜視図である。
【００１８】
図１に示すように、本考案のテーブルタップのソケット本体構造は、導電性材料からなり、丸棒状を呈する前記導電ロッド１１を有し、該導電ロッド１１の一端に所定の角度に曲折する前記接続端１１０が形成され、更に前記導電ロッド１１には１個以上の前記第１接続端子１２が所定の間隔をおいて設置されている。前記第１接続端子１２は、金属板を折り曲げ加工することによって形成され、即ち、まず両側を同一の方向に９０度折り曲げて、前記底部プレート１４と２つの前記挟持片１５を形成し、更に該２つの挟持片１５を折り曲げ加工することによって、プラグの刃を受け入れることができる、上に開口する前記刃受入れ部１６を形成し、そして、前記底部プレート１４の側端を下側に折り曲げ加工することにより、凹溝を有し且つ下側に開口する前記接合部１７が形成され、該凹溝は前記導電ロッド１１の外径と対応し、互いに接合することができる。
【００１９】
図２に示すものは、本考案の第２実施例であり、この実施例では、前記導電ロッド１１における、前記接続端１１０と反対する側に前記第２接続端子１３が設けられ、該第２接続端子１３は、前記第１接続端子１２と同様の前記刃受入れ部１６と前記接合部１７とを有し、側端に前記挟持片１５と同様の、先端に刃受入れ部１９を有する前記挟持片１８が横方向に形成され、更に、リベット止めや溶接等の接合方法によって、前記第１接合端子１２と所定の間隔をおいて前記導電ロッド１１上に接合されている。
【００２０】
前記２つの実施例を実施する時は、単に前記第１接続端子１２の数や前記第２接続端子１３を設置するかによって、前記導電ロッド１１の長さを変更するだけでよい。
【００２１】
図３に示す実施例では、ケース内に前記第２実施例におけるテーブルタップの前記ソケット本体１０が２本設置される形態を示すものであり、前記ケースは、それぞれ凹部が形成される前記上部ケース３１と前記下部ケース３２と端部カバー３３とを含み、それらの前記上部ケース３１と前記下部ケース３２と前記端部カバー３３とが組み合わされることにより、前記第１接続端子１２及び前記第２接続端子１３を有するソケット本体１０が設置される収容室が形成され、前記端部カバー３３は、前記上部ケース３１と前記下部ケース３２に挟まれてケースの側端に固設されている。また、前記上部ケース３１における前記第１接続端子１２と前記第２接続端子１３に対応する位置にそれぞれ１つと、前記端部カバー３３における前記第２接続端子１３と対応する位置に１つの、前記プラグ挿入口３４が形成され、該各プラグ挿入口３４に複数の刃受入れ孔（符号なし）が形成され、その内、前記上部ケース３１における前記各プラグ挿入口３４は、所定の間隔をおいて上向きに形成されると共に、前記端部カバー３３における前記プラグ挿入口３４は横向きに形成され、前記下部ケース３２には更に、前記ソケット本体１０に対応するように複数の板（符号なし）が立設され、該複数の板に前記ソケット本体１０を嵌め込むための嵌合溝（符号なし）が形成され、また、前記上部ケース３１と前記下部ケース３２の先端にそれぞれ、互いに対応する配線用の切欠きが形成されている。
【００２２】
更に、前記２本のソケット本体１０は、互いに平行するようにケース内に取り付けられると共に、該各ソケット本体１０における前記第１接続端子１２と前記第２接続端子１３は互いに対応するように位置し、その内、前記第１接続端子１２は、ケース内における配線の受入れ口側に設置され、前記第２接続端子１３は、ケース内における、配線の受入れ口と反対する側に設置され、それらの前記第１接続端子１２と前記第２接続端子１３の位置はそれぞれ、前記各プラグ挿入口３４に対応している。即ち、前記各刃受入れ部１６は、前記上部ケース３１における前記プラグ挿入口３４のプラグ受入れ孔に対応すると共に、前記刃受入れ部１９は、前記端部カバー３３における前記プラグ挿入口３４のプラグ受入れ孔に対応し、また前記ソケット本体１０は、前記接続端１１０により配線の受入れ口からケース内に導かれた電線と接続されている。
【産業上の利用可能性】
【００２３】
本考案のテーブルタップの端子構造は上記の構成を有するので、前記プラグ挿入口３４の数が異なるテーブルタップを製造する場合、より長い前記導電ロッド１１を使用しても、その前記導電ロッド１１上に単に前記プラグ挿入口３４の数に応じた前記第１接続端子１２と前記第２接続端子１３を取り付けるだけでよいことから、ソケット本体を製造するための金型の開発、製造にかかる費用を節約することができると共に、前記第１接続端子１２と前記第２接続端子１３をそれぞれ独立の部材とすることにより、一体化のものより製造が容易いので、低コスト化を図ることもできる。
【図面の簡単な説明】
【００２４】
【図１】本考案に係るテーブルタップのソケット本体構造の第１実施例の分解斜視図。
【図２】本考案に係るテーブルタップのソケット本体構造の第２実施例の分解斜視図。
【図３】本考案に係るテーブルタップのソケット本体構造をテーブルタップに適用した状態を示す分解斜視図。
【図４】従来のテーブルタップの分解斜視図。
【符号の説明】
【００２５】
１０、４０              ソケット本体
１１                    導電ロッド
１１０、４１            接続端
１２、４２              第１接続端子
１３、４４              第２接続端子
１４                    底部プレート
１５、１８              挟持片
１６、１９、４５、４６  刃受入れ部
１７                    接合部
３１、５１              上部ケース
３２、５２              下部ケース
３３、５３              端部カバー
３４、５４              プラグ挿入口
４３                    導電板
【図１】
0003145855.tif 000003
【図２】
0003145855.tif 000004
【図３】
0003145855.tif 000005
【図４】
0003145855.tif 000006